(57)【要約】リニアリクライニング装置（１０）には、ハウジング（１２）の内部で摺動可能に支持されるリクライニングロッド（１８）が設けられる。リクライニングロッド（１８）は、ハウジング（１２）の内部で固定された爪（２４）に対して選択的に係合可能である。リクライニングロッド（１８）はカム（３０）と接触することで、リクライニングロッド（１８）を爪（２４）に係合させまたは爪（２４）から引き離すことができる。カム（３０）が第１の位置において付勢機構（４６）に付勢されると、リクライニングロッド（１８）が爪（２４）と係合する。リニアリクライニング装置（１０）をシート装置（１００）で用いることで、シート（１０２）に対するシートバック（１０４）の角度を利用者が選択可能となる。
2004525670.tif 000002
【特許請求の範囲】
【請求項１】
ハウジングと、
前記ハウジングにより摺動可能に支持されるリクライニングロッドと、
前記ハウジングに支持される固定爪と、
前記ハウジングにより回転可能に支持されるとともに、前記リクライニングロッドに対して摺動可能な表面を有するカムと、を備えるリニアリクライニング装置であって、
前記カムの回転に応じて前記リクライニングロッドを前記爪に選択的に係合させることが可能であり、前記リクライニングロッドが前記爪に係合するとき、前記リクライニングロッドの直線運動が規制されることを特徴とするリニアリクライニング装置。
【請求項２】
請求項１に記載のリニアリクライニング装置において、
前記カムが前記リクライニングロッドに対する第１の位置にあるとき、前記カムは前記ハウジング内部で支持される付勢機構により付勢されることを特徴とするリニアリクライニング装置。
【請求項３】
請求項２に記載のリニアリクライニング装置において、
前記付勢機構はコイルばねを備えることを特徴とするリニアリクライニング装置。
【請求項４】
請求項２に記載のリニアリクライニング装置において、
前記付勢機構は、前記ハウジングの内部で摺動可能に支持され、前記カムが旋回可能に係合する付勢ロッドと、前記付勢ばねを第１の方向に付勢するばねと、を備え、
前記付勢ロッドの付勢力により前記カムが第１の回転方向に付勢されることで、前記カムの表面により前記リクライニングロッドが付勢されて前記爪と係合することを特徴とするリニアリクライニング装置。
【請求項５】
シート及びこのシートに対して旋回可能とされるシートバックを備えるリクライニングシート装置であって、
ハウジングと、前記ハウジングにより摺動可能に支持されるリクライニングロッドと、前記ハウジングに支持される爪と、前記ハウジングにより回転可能に支持されるとともに、前記リクライニングロッドに対して摺動可能な表面を有するカムと、を有するリニアリクライニング装置と、
前記シートバックの内部に設けられ、一端が前記リクライニングロッドに旋回可能に取り付けられた少なくとも一本の支持アームと、
前記カムに動作可能に接続されることで前記リクライニングロッドを前記爪に選択的に係合可能させることができ、前記リクライニングロッドが前記爪と係合するとき、前記リクライニングロッドの直線運動を規制するハンドルと、を備えることを特徴とするリクライニングシート装置。
【請求項６】
請求項５に記載のリクライニングシート装置において、
前記カムが前記リクライニングロッドに対する第１の位置にあるとき、前記カムは前記ハウジングの内部で支持された付勢機構により付勢されることを特徴とするリクライニングシート装置。
【請求項７】
請求項６に記載のリクライニングシート装置において、
前記付勢機構はコイルばねを備えることを特徴とするリクライニングシート装置。
【請求項８】
請求項６に記載のリクライニングシート装置において、
前記付勢機構には、前記ハウジングの内部で摺動可能に支持され、ばねに付勢され、前記カムが旋回可能に係合するロッドが設けられることを特徴とするリクライニングシート装置。
【発明の詳細な説明】
【０００１】
【発明の属する技術分野】
本発明はリニアリクライニング装置に関し、より詳しくは固定爪を有するリニアリクライニング装置に関する。
【０００２】
【背景技術】
自動車メーカーにとって乗員の安全及び快適さは最も関心のある事柄である。とりわけ車両シート装置は、よりよい快適さ及び安全のために非常に注目される。従来の車両シート装置には乗員により快適さを調整可能にするリクライニングシートが備えられている。
【０００３】
【発明が解決しようとする課題】
リクライニングシートでは、様々な力のかかる長いレバーアーム、即ち、シートバックにリクライニング装置が設けられる。車両シートのリクライニング装置はシートバックの長さに比べると非常に小さく、使用に際してレバーアームには車両の振動や乗員の動作により様々な力がかかり得る。これらの力は長いレバーアームに沿って加えられるため、これらの力により、リクライニング装置のシートバックを固定する能力を潜在的に超える大きなモーメントがリクライニング装置の旋回点の周囲にかかる可能性がある。
【０００４】
更に、噛合歯の遊びやバックラッシュまたは構成部品の誤差などといったリクライニング装置の構成要素の不完全さのため、リクライニング装置がロックされた状態でもシートバックがわずかに移動する可能性がある。このわずかなずれはレバーアームの長さにより拡大され、シートバックの上端では顕著になる。例えば、使用されていないシートのシートバックは、車両が荒れた道路環境に出くわすと振動しがちである。リクライニング装置において拡大された遊びは「チャッキング」（ｃｈｕｃｋｉｎｇ）と呼ばれ、構成部品が固定された状態であってもレバーアームやシートバックを動作させる不完全さや遊びを意味する。
【０００５】
従って、当該分野では、シート装置のチャッキングを十分に減少させるまたはこれを解消するリクライニング装置を提供することが望ましい。更に、そのようなリクライニング装置が十分な強度を備え、事故が起こった場合でも乗員を適切に保護することが望ましい。
【０００６】
たま、当該分野では、操作性や安全性の基準を保持しながら、従来のリクライニング装置全体での複雑さを減少させることが望ましい。これにより、部品点数を減らし、製造を容易にすることで全体のコストを減少できる。更に、リクライニング装置の部品点数を減らすことで軽量化が実現可能となる。
【０００７】
本発明に係る簡易型リニアリクライニング装置によれば、従来のリニアリクライニング装置の欠陥を克服できる。即ち、本発明のリニアリクライニング装置は、これまでのリニアリクライニング装置よりも部品点数が少なく、全体のデザインを簡潔にできる。
【０００８】
【課題を解決するための手段】
本発明に係るリニアリクライニング装置は、ハウジングと、このハウジングの内部で摺動可能に支持されるリクライニングロッドと、前記ハウジングに支持される爪と、前記ハウジングにより回転可能に支持されるカムと、を備えるものである。前記カムは前記リクライニングロッドに対して摺動可能な表面を有する。前記カムの回転に応じて前記リクライニングロッドを前記爪に選択的に係合させることが可能であり、前記リクライニングロッドが前記爪に係合するとき、前記リクライニングロッドの直線運動が規制される。前記カムは、第１の回転方向に付勢されて前記リクライニングロッドを前記爪に係合させることが好ましい。前記カムは、前記付勢力に抗って回転可能とされることで前記リクライニングロッドを前記爪から引き離し、前記ハウジングに対する前記リクライニングロッドの直線運動を可能にする。
【０００９】
本発明のリニアリクライニング装置により、前記リニアリクライニング装置のコスト、重量、製造を改善できる。
更に本発明により、シートバックに重大なチャッキングを生じさせる誤差の積み重ねを減少可能な簡易かつ小型の構造を実現できる。
【００１０】
更に、リクライニング装置の可動部材が小型のハウジング内部にあるため、シート装置全体の製造や調整が容易に実現可能となる。
本発明の更なる長所及び特徴は、参照図面と合わせて後述する詳細説明及び添付された特許請求の範囲から明らかになるであろう。
【００１１】
【発明の実施の形態】
図１〜３において、リニアリクライニング装置１０の好適な実施形態が詳細に示される。
リニアリクライニング装置１０は、第１の支持プレート１４及び第２の支持プレート１６を備えるハウジング１２を有するものである。ハウジング１２の内部には、頂面２２に鋸歯状ラック２０が形成されたリクライニングロッド１８が摺動可能に支持される。ハウジング１２の内部には爪２４が支持され、リクライニングロッド１８の鋸歯状ラック２０に面する面２８には鋸歯状部２６が形成される。
【００１２】
爪２４は第１及び第２の支持プレート１４、１６の間に固定され、ハウジング１２に対する旋回その他の動作が規制されている。第１及び第２の支持プレート１４、１６の間にはカム３０が回転可能に支持され、その表面３２はリクライニングロッド１８の底面３４に接している。
カム３０は軸３６に固定され、この軸は開口部３８、４０を介して第１及び第２の支持プレート１４、１６に回転可能に支持される。軸３６の端部には、ハンドルまたはレバー４４を取り付け可能なスプライン軸部４２が形成される（図５参照）。
【００１３】
カム３０は第１及び第２の位置の間を回転可能とされる。第１の位置では、カム３０の付勢によりリクライニングロッド１８が爪２４と係合する。即ち、カム３０によりリクライニングロッド１８の底面３４が付勢されることでリクライニングロッド１８の鋸歯状ラック２０と爪２４の鋸歯状部２６とが噛み合う。この位置では、リクライニングロッド１８のハウジング１２に対する直線運動が規制される。
カム３０は、リクライニングロッド１８が爪２４と係合しない第２の位置へと回転可能とされる。この位置においてリクライニングロッドはハウジング１２に対して自由に直線運動することができる。
【００１４】
利用者がそれぞれのシート装置を調整するためにリクライニングロッド１８の係合を解くまで、リクライニングロッド１８は係合位置のままとされるのが好ましい（図５参照）。従って、第１の位置では付勢機構４６を用いてカム３０を付勢するのが好ましい。
第１の好適な実施形態において付勢機構４６には、円筒部５０と、この円筒部５０の中間に配置された鍔部５２と、円筒部５０の一端に形成された球状部５４とを備える付勢ロッド４８が設けられる。
【００１５】
付勢ロッド４８は、ハウジング１２に支持されたガイドブラケット５６の中で摺動可能に支持される。
ガイドブラケット５６には着座領域５８と開口部６０とが設けられ、開口部６０を介して付勢ロッド４８の円筒部５０が配置される。鍔部５２とガイドブラケット５６の着座領域５８との間には、円筒部５０を囲むように付勢ばね６２が設けられる。
【００１６】
付勢ばね６２は、ガイドブラケット５６から離れる方向に付勢ロッド４８を付勢するものである。付勢ロッド４８の球状部５４はカム３０のソケット６４の内部に着座される。付勢ロッド４８の球状部５４とカム３０のソケット６４との連結関係は、従来の球状部とソケットの連結関係と同様である。図１に最もよく示されるように、付勢機構４６は、リクライニングロッド１８が爪２４と係合する第１の位置でカム３０を保持するものである。
【００１７】
利用者はリクライニングロッド１８を爪２４から引き離すため、軸３６及びカム３０を付勢機構４６の付勢力に抗って回転させる。カム３０が回転することで付勢ロッド４８がガイドブラケット５６に対して及び／またはガイドブラケット５６を介して付勢され、これにより、鍔部５２とガイドブラケット５６の着座領域５８との間に配置された付勢ばね６２が押圧される。更に、カム３０が第２の位置へと回転すると、付勢ロッドの球状部５４はカム３０のソケット６４内部で回転する。
【００１８】
図２に最もよく示されるように、カム３０が付勢機構４６の付勢力に対して十分回転されると、リクライニングロッド１８は爪２４との係合から解かれ、リクライニングロッド１８はハウジング１２に対して直線動作可能となる。これにより、リクライニングロッド１８はハウジング１２に対して直線的に調整可能となる。
【００１９】
図４において、リニアリクライニング装置１０の第２の好適な実施形態が詳細に示される。第２の好適な実施形態は、第１の好適な実施形態と実質的に同じ構成要素を含むため、同様の参照番号が同一の構成要素に用いられることに注意されたい。
【００２０】
第２の好適な実施形態において、リニアリクライニング装置１０にはコイルばね７０が設けられ、第１の回転方向に軸３６を付勢することでカム３０をリクライニングロッド１８に作用させてリクライニングロッド１８を爪２４に係合させる。
コイルばね７０は、軸３６のスロット７４の内部で支持される第１の端部７２を有する。コイルばね７０は軸３６の周囲に配置され、更に、ハウジング１２内部に形成されたブラケット７８により保持される第２の端部を有する。
【００２１】
リクライニングロッド１８を爪２４から引き離すため、カム３０はコイルばね７０の付勢力に抗う第２の回転方向に回転される。カム３０が十分回転されるとリクライニングロッド１８が爪２４から離れ、ハウジング１２に対するリクライニングロッド１８の直線移動が可能となる。これにより、リクライニングロッド１８はハウジング１２に対して直線的に調整可能となる。
【００２２】
図５において、リニアリクライニング装置１０を用いたシート装置１００が詳細に示される。リニアリクライニング装置１０の第１または第２の好適な実施形態のいずれもがシート装置１００において利用可能であることに注意されたい。
シート装置１００はシート１０２と、シート１０２に対して旋回するシートバック１０４とを有するのが一般的である。
【００２３】
シートバックの内部には、シート１０２に対してシートバック１０４を支持する支持アーム１０６が設けられる。支持アーム１０６は支持ブラケット１０８に取り付けられ、軸Ｑの周りを回転可能とされる。軸Ｑの周りにはコイルばね１１０が設けられ、支持ブラケット１０８に対して第１の回転方向に支持アーム１０６を付勢する。
リクライニングロッド１８には、支持アーム１０６の一端に対してリクライニングロッド１８を旋回可能に取り付ける取付部１１２が形成される。
【００２４】
リクライニングロッド１８がハウジング１２に対して直線運動されると、リクライニングロッド１８の直線運動は、軸Ｑにおける支持アーム１０６の旋回運動に変換される。これにより、利用者はシート１０２に対してシートバック１０４を所望のリクライニング位置に選択できる。
【００２５】
更に、コイル１１０によりシート１０２に対して支持アーム１０６及びシートバック１０４を付勢することが好ましい。このため、リクライニングロッド１８が爪２４から離れると、シートバック１０４は、シートに乗員が座っていたりしてもシート１０２に対して回転可能である。
【００２６】
本発明は好適な実施形態を参照しながら明細書に記載され、図面に描かれたが、当業者であれば様々な変更が可能であり、クレームに規定される発明の教示から離れない限り、構成要素を均等物に置換可能なことが理解されよう。
更に、本発明の本質的な開示から離れない限り、特定の状況または材料を適合させることによる多くの変形が可能である。従って、本発明は、本発明を実施するものの最良の形態として図面に描かれかつ明細書に記載された特定の実施形態に限定されず、特許請求の範囲に記載された範囲内のあらゆる実施形態を含むことが理解されよう。
【図面の簡単な説明】
【図１】本発明に係るリニアリクライニング装置の構成要素を示す側面図である。
【図２】図１のリニアリクライニング装置の頂面図である。
【図３】図１のリニアリクライニング装置が係合しない状態におけるリニアリクライニング装置の側面図である。
【図４】リニアリクライニング装置の第２の好適な実施形態の構成要素を示す側面図である。
【図５】本発明のリニアリクライニング装置を用いたシート装置の概略構成図である。
【符号の説明】
１０      リニアリクライニング装置
１２      ハウジング
１８      リクライニングロッド
２０      鋸歯状ラック
２２      リクライニングロッドの頂面
２４      固定爪
２６      固定爪の鋸歯状部
２８      鋸歯状ラックの表面
３０      カム
３２      カムの表面
４４      ハンドル
４６      付勢機構
４８      付勢ロッド
７０      コイルばね
１００    シート装置
１０２    シート
１０４    シートバック
１０６    支持アーム
１１０    コイルばね
【図１】
2004525670.tif 000003
【図２】
2004525670.tif 000004
【図３】
2004525670.tif 000005
【図４】
2004525670.tif 000006
【図５】
2004525670.tif 000007
【国際公開パンフレット】
2004525670.tif 000008
2004525670.tif 000009
2004525670.tif 000010
2004525670.tif 000011
2004525670.tif 000012
2004525670.tif 000013
2004525670.tif 000014
2004525670.tif 000015
2004525670.tif 000016
2004525670.tif 000017
2004525670.tif 000018
2004525670.tif 000019
2004525670.tif 000020
2004525670.tif 000021
【国際公開パンフレット（コレクトバージョン）】
2004525670.tif 000022
2004525670.tif 000023
【手続補正書】
【提出日】平成15年4月17日(2003.4.17)
【手続補正１】
【補正対象書類名】明細書
【補正対象項目名】特許請求の範囲
【補正方法】変更
【補正の内容】
【特許請求の範囲】
【請求項１】
ハウジングと、
前記ハウジングより摺動可能に支持されるリクライニングロッドと、
前記ハウジングに支持される固定爪と、
前記ハウジングにより回転可能に支持されるとともに、前記リクライニングロッドに摺動可能な表面を有するカムと、
前記ハウジングに支持され、かつ、前記カムに付勢力を付加して前記リクライニングロッドを前記爪に係合させる付勢機構と、を備えるリニアリクライニング装置であって、
前記付勢機構は、
前記ハウジングの内部で摺動可能に支持され、前記カムが旋回可能に係合する付勢ロッドと、
前記付勢ロッドを第１の方向に付勢するばねと、を有し、
前記付勢ロッドの付勢力により前記カムが第１の回転方向に付勢されることで、前記カムの表面により前記リクライニングロッドが前記爪に係合されるものであり、
前記リクライニングロッドは、前記付勢機構により付加された付勢力を解消することにより前記爪から選択的に引き離されることを特徴とするリニアリクライニング装置。
【請求項２】
シート及びこのシートに対して旋回可能とされるシートバックを備えるリクライニングシート装置であって、
ハウジングと、前記ハウジングにより摺動可能に支持されるリクライニングロッドと、前記ハウジングに支持される爪と、前記ハウジングにより回転可能に支持されるとともに、前記リクライニングロッドに摺動可能な表面を有するカムと、を備えるリニアリクライニング装置と、
前記シートバックの内部に設けられ、一端が前記リクライニングロッドに旋回可能に取り付けられた少なくとも一本の支持アームと、
前記ハウジングにより支持されかつ前記カムに付勢力を付加して前記リクライニングロッドを前記爪に係合させるものであって、前記カムを前記リクライニングロッドに対する第１の位置に付勢するとともに、前記カムと旋回可能に係合するロッドを有し、前記ロッドが前記ハウジングの内部で摺動可能に支持され、ばねにより付勢され、前記カムが旋回可能に係合する付勢機構と、
前記カムに対して動作可能に接続され、前記付勢機構により付加された付勢力を解消させることにより前記リクライニングロッドを前記爪から引き離すハンドルと、を備えることを特徴とするリクライニングシート装置。
【請求項３】
ハウジングと、
前記ハウジングに対して回転しないように固定された爪と、
前記ハウジングにより摺動可能に支持され、前記爪に対して選択的に係合可能なリクライニングロッドと、
前記ハウジングにより回転可能に支持され、前記リクライニングロッドを前記爪に係合させる第１の位置と、前記リクライニングロッドを前記爪から引き離す第２の位置との間を移動可能なカムと、を備えることを特徴とするリニアリクライニング装置。
【請求項４】
請求項３に記載のリニアリクライニング装置において、
前記爪の下面に形成された第１の複数の歯と、
前記リクライニングロッドの上面に形成された第２の複数の歯と、を備え、
前記第１及び第２の複数の歯が選択的に係合されることで前記リクライニングロッドと前記爪との間の相対移動が規制されることを特徴とするリニアリクライニング装置。
【請求項５】
請求項３に記載のリニアリクライニング装置において、
前記カムを前記第１の位置に付勢する付勢機構を有することを特徴とするリニアリクライニング装置。
【請求項６】
請求項５に記載のリニアリクライニング装置において、
前記付勢機構がコイルばねであることを特徴とするリニアリクライニング装置。
【請求項７】
請求項５に記載のリニアリクライニング装置において、
前記付勢機構には、前記ハウジングの内部で摺動可能に支持され、ばねにより付勢され、前記カムが旋回可能に係合するロッドが設けられることを特徴とするリニアリクライニング装置。
【請求項８】
シート及びこのシートに対して旋回可能とされるシートバックを備えるリクライニングシート装置であって、
ハウジングと、前記ハウジングに固定された爪と、前記シートバックが旋回可能に係合し、前記ハウジングにより摺動可能に支持され、前記爪に選択的に係合するリクライニングロッドと、前記ハウジングにより回転可能に支持され、前記リクライニングロッドを前記爪に係合させる第１の位置と、前記リクライニングロッドを前記爪から引き離す第２の位置との間を移動可能なカムと、を備えるリニアリクライニング装置と、
回転可能に前記カムに固定され、前記カムを前記第１及び第２の位置の間で回転させるハンドルと、を備えることを特徴とするリクライニングシート装置。
【請求項９】
請求項８に記載のリクライニングシート装置において、
前記爪の下面に形成された第１の複数の歯と、
前記リクライニングロッドの上面に形成された第２の複数の歯と、を備え、
前記第１及び第２の複数の歯が選択的に係合されることで前記リクライニングロッドと前記爪との間の相対移動が規制されることを特徴とするリクライニングシート装置。
【請求項１０】
請求項８に記載のリクライニングシート装置において、
前記カムを前記第１の位置に付勢する付勢機構を有することを特徴とするリクライニングシート装置。
【請求項１１】
請求項１０に記載のリクライニングシート装置において、
前記付勢機構がコイルばねであることを特徴とするリクライニングシート装置。
【請求項１２】
請求項１０に記載のリクライニングシート装置において、
前記付勢機構には、前記ハウジングの内部で摺動可能に支持され、ばねにより付勢され、前記カムが旋回可能に係合するロッドが設けられることを特徴とするリクライニングシート装置。
【請求項１３】
ハウジングと、
前記ハウジングに対して回転しないように固定された爪と、
前記ハウジングにより摺動可能に支持され、係合位置と非係合位置との間を移動可能なリクライニングロッドと、
前記ハウジングにより回転可能に支持され、前記リクライニングロッドを前記爪に対して係合させる第１の位置と、前記リクライニングロッドを前記爪から引き離す第２の位置との間を移動可能であり、前記係合位置において前記リクライニングロッドを固定し、前記非係合位置において前記リクライニングロッドを支持する単一のカムと、を備えることを特徴とするリニアリクライニング装置。
【請求項１４】
請求項１３に記載のリニアリクライニング装置において、
前記爪の下面に形成された第１の複数の歯と、
前記リクライニングロッドの上面に形成された第２の複数の歯と、を備え、
前記第１及び第２の複数の歯が選択的に係合されることで前記リクライニングロッドと前記爪との間の相対移動が規制されることを特徴とするリニアリクライニング装置。
【請求項１５】
請求項１３に記載のリニアリクライニング装置において、
前記カムを前記第１の位置に付勢する付勢機構を有することを特徴とするリニアリクライニング装置。
【請求項１６】
請求項１５に記載のリニアリクライニング装置において、
前記付勢機構がコイルばねであることを特徴とするリニアリクライニング装置。
【請求項１７】
請求項１５に記載のリニアリクライニング装置において、
前記付勢機構には、前記ハウジングの内部で摺動可能に支持され、ばねにより付勢され、前記カムが旋回可能に係合するロッドが設けられることを特徴とするリニアリクライニング装置。
【請求項１８】
シート及びこのシートに対して旋回可能とされるシートバックを有するリクライニングシート装置であって、
ハウジングと、前記ハウジングに固定された爪と、前記ハウジングにより摺動可能に支持され、係合位置と非係合位置との間を移動可能なリクライニングロッドと、前記ハウジングにより回転可能に支持され、前記リクライニングロッドを前記爪に係合させる第１の位置と、前記リクライニングロッドを前記爪から引き離す第２の位置との間を移動可能であり、前記係合位置で前記リクライニングロッドを固定し、前記非係合位置で前記リクライニングロッドを支持する単一のカムと、を備えるリニアリクライニング装置と、
前記カムに固定され、前記カムを前記第１及び第２の位置の間で回転させるハンドルと、を備えることを特徴とするリクライニングシート装置。
【請求項１９】
請求項１８に記載のリクライニングシート装置において、
前記爪の下面に形成された第１の複数の歯と、
前記リクライニングロッドの上面に形成された第２の複数の歯と、を備え、
前記第１及び第２の複数の歯が選択的に係合されることで前記リクライニングロッドと前記爪との間の相対移動が規制されることを特徴とするリクライニングシート装置。
【請求項２０】
請求項１８に記載のリクライニングシート装置において、
前記カムを前記第１の位置に付勢する付勢機構を有することを特徴とするリクライニングシート装置。
【請求項２１】
請求項２０に記載のリクライニングシート装置において、
前記付勢機構がコイルばねであることを特徴とするリクライニングシート装置。
【請求項２２】
請求項２０に記載のリクライニングシート装置において、
前記付勢機構には、前記ハウジングの内部で摺動可能に支持され、ばねにより付勢され、前記カムが旋回可能に係合するロッドが設けられることを特徴とするリクライニングシート装置。
【国際調査報告】
2004525670.tif 000024